(57)【特許請求の範囲】
【請求項１】
シリンジを胃瘻チューブに接続するためのコネクタであって、該コネクタは、該コネクタを該胃瘻チューブに係止するための係止突起を有するバヨネット式係止部材と、該胃瘻チューブの中に受容されるように構成された挿入チューブとを備え、該係止突起は、該胃瘻チューブの端部部分の少なくとも１つのウイングを受容および係止するための受容陥凹を形成し、該バヨネット式係止部材は、接続表面と長手方向に延在する貫通孔とを有する本体部分を備え、該係止突起は、該長手方向に延在する接続部分と、該挿入チューブに向かって該接続部分に垂直に延在する自由端部分とを備え、
該自由端部分は、該自由端部分の長さに沿って延びる縁を備え、該縁は、該自由端部分に対して傾斜している、コネクタ。
【請求項２】
前記受容陥凹は、前記接続部分、前記自由端部分、および／または前記接続表面によって形成される、請求項１に記載のコネクタ。
【請求項３】
前記受容陥凹は、前記長手方向に垂直な線状または円弧の形状で延在する、請求項１または２に記載のコネクタ。
【請求項４】
少なくとも２つの係止突起をさらに備え、前記自由端部分は、相互の方に向いており、オリフィスを間に画定するように間隔が置かれている、請求項１〜３のうちのいずれかに記載のコネクタ。
【請求項５】
前記挿入チューブは、前記接続表面に接触し、前記長手方向に延在する、請求項１〜４のうちのいずれかに記載のコネクタ。
【請求項６】
前記挿入チューブは、前記オリフィスを通って延在する、請求項４、または、請求項５が請求項４に従属する場合に請求項５に記載のコネクタ。
【請求項７】
各自由端部分と前記挿入チューブとの間に提供された貫通陥凹をさらに備える、請求項１〜６のうちのいずれかに記載のコネクタ。
【請求項８】
前記挿入チューブは、複数のチューブ部分を備え、各チューブ部分は、外側表面において前記長手方向にテーパ状にされていることにより、複数の当接部を形成する、請求項１〜７のうちのいずれかに記載のコネクタ。
【請求項９】
前記バヨネット式係止部材を備える第１のコネクタ部分、および前記シリンジを取り付けるためのシリンジ取付部材を備える第２のコネクタ部分をさらに備え、該第２のコネクタ部分は、該シリンジ取付部材を備える第１のアームと、栄養補給チューブまたは容器を取り付けるための栄養補給取付部材を備える第２のアームとによってＹ形状またはＴ形状である、請求項１〜８のうちのいずれかに記載のコネクタ。
【請求項１０】
請求項１〜９のうちのいずれかに記載のコネクタを備えるコネクタアセンブリであって、胃瘻チューブの端部部分は、該胃瘻チューブと一体的に形成されるか、またはアダプタとして形成され、該端部部分は、前記受容陥凹の中に受容されるように構成された少なくとも１つのウイングを備える、コネクタアセンブリ。
【請求項１１】
前記係止突起は、前記本体部分と一体的に形成される、請求項１に記載のコネクタ。
【発明の詳細な説明】
【技術分野】
【０００１】
本発明は、シリンジを胃瘻チューブに接続するためのコネクタに関する。
【背景技術】
【０００２】
本発明のコネクタは、特に、医療用具および看護ケアの分野において使用される。医療チューブを他の医療デバイスに接続するためのコネクタは、当技術分野において公知である。
【０００３】
特許文献１は、加圧された流体流によって、穿刺、穿通、または開放され得るプロテクタを有し、プロテクタが、望ましくない汚染物質の通過に対して閉鎖される滅菌接続デバイスについて説明している。
【０００４】
特許文献２は、種々のサイズのコネクタとの医療デバイスの併用を可能にするための汎用アダプタを有する栄養補給チューブセットとカテーテルとの間で使用するための医療デバイスを開示している。
【０００５】
特許文献３は、経腸栄養補給デバイスの広範囲の直径またはアクセスポートを収容するために、段階が長手方向により小さくなる多段階式アダプタについて説明している。
【０００６】
特許文献４は、アダプタの本体の外部における区画の直径が、アダプタの一端からアダプタの他端へと増加する、段階式アダプタを開示している。したがって、アダプタは、種々に定寸されたアクセスポートを有する種々のチューブに接続することができる。
【０００７】
特許文献５は、２つの係止突起の間に延在する針の表面に平行に配列されるバヨネット式係止突起を備えるシリンジに、胃瘻チューブを接続するためのコネクタについて説明している。
【０００８】
特許文献６は、２つの医療付属品を接続するためのコネクタであって、２つのバヨネット式係止部材を備え、弁が、２つの係止部材間に延在している、コネクタを開示している。
【０００９】
特許文献７は、栄養補給プローブを輸送システムに接続するためのコネクタであって、バヨネット式溝を備え、挿入チューブが、バヨネット式溝の延在方向に平行に延在する、コネクタについて説明している。
【先行技術文献】
【特許文献】
【００１０】
【特許文献１】米国特許第４，５１１，３５９号明細書
【特許文献２】米国特許第５，０５７，０９３号明細書
【特許文献３】米国特許第５，２６７，９８３号明細書
【特許文献４】米国特許第５，５６９，２２２号明細書
【特許文献５】米国特許第５，２０１，７１７号明細書
【特許文献６】米国特許出願公開第２００６／０１４９２１１号明細書
【特許文献７】米国特許出願公開第２０１０／００３６３６５号明細書
【発明の概要】
【課題を解決するための手段】
【００１１】
最初に、胃瘻チューブを挿入するとき、外科医は、腹部および胃壁を通して延在する、患者の身体内の開口部である瘻孔を生成する。胃瘻チューブが瘻孔の中へ挿入され、食物（栄養剤）が、直接、胃に送達されることを可能にする。コネクタは、胃瘻チューブと併用され、薬剤または栄養補助食品を供給するシリンジが、チューブに取り付けられることを可能にすることができる。これらのコネクタは、コネクタが胃瘻チューブから外れることを回避するために、胃瘻チューブに緊密および確実に取り付けられるべきである。
【００１２】
本発明の１つ以上の側面は、経腸栄養補給セットおよびシリンジを胃瘻チューブに緊密および確実な態様で接続するためのコネクタおよび方法を提供する。
【００１３】
コネクタは、コネクタを胃瘻チューブに係止するための係止突起を有するバヨネット式係止部材を備えることができ、係止突起は、胃瘻チューブの端部部分の少なくとも１つのウイングを受容および係止するための受容陥凹を形成する。
【００１４】
胃瘻チューブの端部部分は、したがって、コネクタと胃瘻チューブとの間の緊密および確実な接続が達成され得るように、受容陥凹の中に受容され、その中に係止されることができる。
【００１５】
バヨネット式係止部材は、少なくとも１つの係止突起および／または少なくとも１つの受容陥凹を備えることができる。
【００１６】
バヨネット式係止部材は、接続表面および長手方向に延在する貫通孔を有する本体部分を備えることができる。
【００１７】
全ての栄養素、薬剤、または医療栄養補助食品は、貫通孔の一端において挿入され、したがって、患者に適用されることができる。
【００１８】
係止突起は、実質的に長手方向に延在する接続部分と、胃瘻チューブの中に受容されるように構成された挿入チューブに向かって接続部分に実質的に垂直に延在する自由端部分とを備えることができる。受容陥凹は、好ましくは、接続部分、自由端部分、および／または接続表面によって形成される。好ましくは、接続部分、自由端部分、および／または受容部分は、実質的に長方形に成形されることができる。したがって、胃瘻チューブの端部部分は、端部部分の挿入における移動方向を変更する必要なく、受容陥凹の中へ容易に挿入されることができる。
【００１９】
好ましくは、受容陥凹は、長手方向に実質的に垂直な線状または円弧の形状で延在する。そのような延在部は、受容陥凹と端部部分との間に大きな係合領域を提供する。したがって、接続は、狭小な受容陥凹のみが胃瘻チューブの端部部分を受容するために形成される場合よりも確実である。好ましくは、受容陥凹は、実質的に長方形に成形される。
【００２０】
有利な実施形態において、係止突起は、接続表面において、本体部分と一体的に形成されるか、またはそれに接合される。接合または一体的に形成することによって実現され得るようなコネクタの本体部分への係止突起の緊密な固定は、例えば、看護士による処置の間、係止突起の破断に対する保護を提供する。
【００２１】
自由端部分は、好ましくは、縁を受容陥凹まで狭くするように傾斜された縁を備える。受容陥凹の中への端部部分の挿入は、受容陥凹の縁が傾斜している場合、容易であり得る。その端部部分は、最初に縁を衝打し、次に受容陥凹の中へクリックする代わりに、受容陥凹の中へと容易に滑動することができる。したがって、患者にとって疼痛をもたらし得るぎくしゃくした運動を回避することができる。
【００２２】
さらなる好ましい実施形態では、少なくとも２つの係止突起が提供され、自由端部分は、相互の方に向いており、オリフィスを間に画定するために間隔が置かれている。２つ以上の係止突起は、胃瘻チューブとコネクタとの間により確実な接続を提供する。有利には、係止突起は、胃瘻チューブの端部部分が、コネクタの本体部分の接続表面と緊密に接触するまで、オリフィスを通して通過させられ得るように、オリフィスを間に有するコネクタの本体部分の周囲に対称的に位置することができる。
【００２３】
好ましい実施形態によると、挿入チューブは、胃瘻チューブの中に受容されるように構成される。係止突起と挿入チューブとの組み合わせは、胃瘻チューブが係止突起によるだけではなく、また、挿入チューブとの係合によっても保持されるので、胃瘻チューブとコネクタとの間により確実な接続を提供する。
【００２４】
好ましくは、挿入チューブは、接続表面に取り付けられ、実質的に長手方向に延在する。そのような配列において、胃瘻チューブは、接続が胃瘻チューブの最外点に取り付けられ得るように、コネクタの接続表面に接触するまで、押動させることができる。したがって、空所を回避することができ、全体的アセンブリは、可能な限り、小型に製造することができる。これはまた、コネクタアセンブリによるてこの作用を低減させ、患者によって疼痛をもたらし得る、コネクタアセンブリの不必要な移動を回避する。
【００２５】
挿入チューブのみ、接続表面から短い距離だけ延在するか、または係止突起の自由端部分まで延在することが可能であるが、好ましくは、挿入チューブは、係止突起の自由端部分にわたるオリフィスを通して延在する。挿入チューブが長いほど、胃瘻チューブとコネクタとの間の係合接続がより確実となる。したがって、挿入チューブが、長く、オリフィスを通して延在する場合、有利となり得る。
【００２６】
有利な実施形態では、貫通陥凹が、各自由端部分と挿入チューブとの間に提供される。したがって、胃瘻チューブの端部部分は、接続表面に接触するまで、挿入チューブにわたって容易に滑動させら、次いで、端部部分が、受容陥凹の中に受容されるように、回転させられることができる。より好ましくは、貫通陥凹は、胃瘻チューブを嵌合通過させるために、胃瘻チューブの壁厚に実質的に対応する。したがって、胃瘻チューブ内への挿入チューブの挿入および受容陥凹による端部部分の受容後、胃瘻チューブは、係止突起の自由端部分と挿入チューブとの間で圧搾することができる。本圧搾は、胃瘻チューブとコネクタとの間の緊密かつ確実な接続に寄与し得る。
【００２７】
さらなる好ましい実施形態において、挿入チューブは、複数のチューブ部分を備える。各チューブ部分は、長手方向に外側表面がテーパ状にされることにより、複数の当接部を形成する。好ましくは、チューブ部分は、等しい直径を有するように等しく形成されることができる。当接部は、外側表面における挿入チューブの全体直径をより広くし、胃瘻チューブと挿入チューブとのより緊密な係合をもたらす。挿入チューブは、テーパ状にされたいくつかのチューブ部分を備えることができるので、最初に、胃瘻チューブの中へ挿入される下側端部は、当接部よりも直径が小さく、挿入チューブは、胃瘻チューブの中へ容易に挿入されることができる。胃瘻チューブは、接続表面の方向に上向きにさらに滑動させられる。短い距離の後に、当接部と胃瘻チューブとの間の係合によって、緊密接続が２つの要素の間に達成されるように、第１の当接部に係合する。胃瘻チューブをさらに上向きに滑動させることによって、より多くの当接部が、胃瘻チューブの中へ挿入されるにつれて、接続は、徐々に緊密になる。滑動が終了すると、胃瘻チューブとコネクタとの間の確実な接続が、胃瘻チューブの端部部分を受容陥凹の中へ挿入させなくとも達成される。
【００２８】
有利な実施形態において、コネクタは、バヨネット式係止部材を有する第１のコネクタ部分と、シリンジを取り付けるためのシリンジ取付部材を備える第２のコネクタ部分とを備える。第２のコネクタ部分は、シリンジ取付部材を備える第１のアームと、栄養補給チューブまたは容器を取り付けるための栄養補給取付部材を備える第２のアームとを有する実質的にＹ形状またはＴ形状である。
【００２９】
したがって、胃瘻チューブとシリンジとの接続は、コネクタの反対部分に位置し、第２のコネクタ部分がＹまたはＴとして形成されることに起因して、栄養素ならびに薬剤または栄養補助食品は両方とも、コネクタの貫通孔を介して、患者に分注されることができる。
【００３０】
好ましくは、シリンジ取付部材は、ルアースリップおよび／またはカテーテルスリップ様式でシリンジを受容するように形成される。
【００３１】
シリンジ取付部材および栄養補給取付部材は、望ましくない汚染物質が瘻孔に進入しないように回避するためのキャップによって閉鎖されることができる。
【００３２】
コネクタアセンブリは、前述のようなコネクタと、胃瘻チューブと一体的に形成されるか、またはアダプタとして形成される胃瘻チューブの端部部分とを備え、端部部分は、受容陥凹の中に受容されるように構成される少なくとも１つのウイングを備える。
【００３３】
同じことが、複数のウイングおよび／または受容陥凹にも適用される。
【００３４】
好ましくは、以下のように、コネクタアセンブリの２つの状態または位置が存在する。コネクタアセンブリの第１の状態において、端部部分のウイングは、受容陥凹と係合しない。コネクタアセンブリの第２の状態において、端部部分のウイングは、受容陥凹と係合する。コネクタアセンブリを第１の状態から第２の状態にするために、コネクタは、好ましくは、受容陥凹の延在平面に実質的に垂直に延在する軸の周りを回転させられる。
【００３５】
好ましい実施形態では、胃瘻チューブとコネクタとの確実な係止は、したがって、胃瘻チューブの中へ挿入されるテーパ状の挿入チューブと、バヨネット式係止部材の受容陥凹または複数の陥凹の中へ挿入される胃瘻チューブの端部部分のウイングとの組み合わせによって達成される。
【００３６】
シリンジを胃瘻チューブに接続するための方法に関する別の局面は、本明細書に例示的に開示される実施形態のいずれかによるコネクタを提供するステップと、胃瘻チューブに、コネクタと接続されるべき少なくとも１つのウイングを有する端部部分を提供するステップであって、端部部分が、胃瘻チューブと一体的に形成されるか、またはアダプタとして形成される、ステップと、胃瘻チューブをコネクタの挿入チューブ上で滑動させるステップと、端部部分のウイングを受容陥凹と係合させるために、コネクタを回転させるステップと、シリンジをシリンジ取付部材に取り付けるステップとを含む。
【００３７】
本方法を使用して、胃瘻チューブは、好ましくは、テーパ状にされた挿入チューブ上で滑動させられ、したがって、短い距離の後には、挿入チューブの外側表面に位置する第１の当接部によって、既に保持されている。胃瘻チューブを接続表面の後方にさらに滑動させることによって、複数の当接部が胃瘻チューブと係合し、係合をより確実および緊密にする。接続表面に到達した後に、胃瘻チューブの端部部分は、胃瘻チューブが２つの力によってコネクタに保持されるように、コネクタの受容陥凹の中へ挿入される。１つは、挿入チューブの当接部と胃瘻チューブとの間の係合力であって、もう１つは、受容陥凹と胃瘻チューブの端部部分との間の保定力である。コネクタを胃瘻チューブに確実および緊密に接続した後に、シリンジは、例えば、ルアーロック、ルアースリップ、またはカテーテルスリップ接続を介して、一般的様式で反対端部に取り付けられることができ、薬剤または栄養補助食品は、患者に容易に分注されることができる。胃瘻チューブの端部部分は、胃瘻チューブと一体的に形成されることができるか、またはアダプタであって、続いて、説明されるコネクタと接続するための一般的な胃瘻チューブの一端に搭載されることができる。
例えば、本発明は、以下の項目を提供する。
（項目１）
シリンジを美食法チューブに接続するためのコネクタであって、該コネクタは、該コネクタを該美食法チューブに係止するための係止突起を有するバヨネット式係止部材を備え、該係止突起は、該美食法チューブの端部部分の少なくとも１つのウイングを受容および係止するための受容陥凹を形成し、該バヨネット式係止部材は、接続表面と長手方向に延在する貫通孔を有する本体部分とを備え、該係止突起は、実質的に該長手方向に延在する接続部分と、該美食法チューブの中に受容されるように構成された挿入チューブに向かって、該接続部分に実質的に垂直に延在する自由端部分とを備える、コネクタ。
（項目２）
前記受容陥凹は、前記接続部分、前記自由端部分、および／または前記接続表面によって形成される、項目１に記載のコネクタ。
（項目３）
前記受容陥凹は、前記長手方向に実質的に垂直な線状または円弧の形状で延在する、項目１または２のいずれかに記載のコネクタ。
（項目４）
前記自由端部分は、縁を備え、該縁は、該縁を前記受容陥凹まで狭くするように傾斜している、項目１〜３のうちのいずれかに記載のコネクタ。
（項目５）
少なくとも２つの係止突起を特徴とし、前記自由端部分は、相互の方に向いており、オリフィスを間に画定するように間隔が置かれている、項目１〜４のうちのいずれかに記載のコネクタ。
（項目６）
前記挿入チューブは、前記接続表面に接触し、実質的に前記長手方向に延在する、項目１〜５のうちのいずれかに記載のコネクタ。
（項目７）
前記挿入チューブは、前記オリフィスを通って延在する、項目５または６のいずれかに記載のコネクタ。
（項目８）
各自由端部分と前記挿入チューブとの間に提供される貫通陥凹を特徴とする、項目１〜７のうちのいずれかに記載のコネクタ。
（項目９）
前記挿入チューブは、複数のチューブ部分を備え、各チューブ部分は、外側表面が前記長手方向にテーパ状にされていることにより、複数の当接部を形成する、項目１〜８のうちのいずれかに記載のコネクタ。
（項目１０）
第１のコネクタ部分が前記バヨネット式係止部材を備え、第２のコネクタ部分が前記シリンジを取り付けるためのシリンジ取付部材を備えることを特徴とし、該第２のコネクタ部分は、該シリンジ取付部材を備える第１のアームと、栄養補給チューブまたは容器を取り付けるための栄養補給取付部材を備える第２のアームとによって実質的にＹまたはＴ形状である、項目１〜９のうちのいずれかに記載のコネクタ。
（項目１１）
項目１〜１０のうちのいずれかに記載のコネクタと、美食法チューブと一体的に形成されるか、またはアダプタとして形成される美食法チューブの端部部分とを備えるコネクタアセンブリであって、該端部部分は、該受容陥凹の中に受容されるように構成された少なくとも１つのウイングを備える、コネクタアセンブリ。
（項目１２）
シリンジを美食法チューブに接続する方法であって、該方法は、
項目１〜１０のうちのいずれかに記載のコネクタを提供することと、
該コネクタと接続されるべき少なくとも１つのウイングを有する端部部分を美食法チューブに提供することであって、該端部部分は、該美食法チューブと一体的に形成されるか、またはアダプタとして形成される、ことと、
該美食法チューブを該コネクタの挿入チューブ上で滑動させることと、
該端部部分のウイングを前記受容陥凹と係合させるために、該コネクタを回転させることと、
該シリンジを該コネクタのシリンジ取付部材に取り付けることと
を含む、方法。
【００３８】
本発明は、図面を参照して、より詳細に以下に説明される。
【図面の簡単な説明】
【００３９】
【図１】図１は、コネクタの第１の実施形態を示す、正面図である。
【図２】図２は、長手軸の周りに９０°だけ回転させられた図１のコネクタの正面図である。
【図３】図３は、図２に示されるコネクタの拡大部分図である。
【図４】図４は、図１のコネクタの上から下への斜視図である。
【図５】図５は、コネクタの第２の実施形態の正面図である。
【図６】図６は、長手方向に沿って９０°だけ回転させられた図５のコネクタの正面図である。
【図７】図７は、上方からの図５のコネクタの上から下への斜視図である。
【図８】図８は、胃瘻チューブ内に部分的に挿入されている、図１のコネクタの部分図である。
【図９】図９は、胃瘻チューブ内に完全に挿入されている、図１のコネクタの部分図である。
【図１０】図１０は、胃瘻チューブに接続されている、図１のコネクタを有するアセンブリの正面図である。
【発明を実施するための形態】
【００４０】
図１は、メス型ルアーロックおよび／またはシリンジ（図示せず）を胃瘻チューブ１２（図示せず）に接続するためのコネクタ１０の第１の実施形態を示す。コネクタ１０は、バヨネット式係止部材１６を有する第１のコネクタ部分１４と、シリンジ取付部材２０および栄養補給取付部材２２を有する第２のコネクタ部分１８とを備える。第２のコネクタ部分１８は、Ｙ形状に形成されるので、シリンジ取付部材２０を備える第１のアーム２４と、栄養補給取付部材２２を備える第２のアーム２６とが存在する。
【００４１】
シリンジ取付部材２０は、カテーテルスリップシリンジ（図示せず）を受容するように形成される。経口シリンジおよびアダプタキャップ３４のためのアダプタ２８は、Ｙブリッジ３２を介して、第１のアーム２４に取り付けられる。Ｙブリッジ３２は、好ましくは、Ｙブリッジ３２がシリンジ取付部材２０に向かって屈曲され得るように、ゴム材料から作製される。したがって、アダプタ２８は、シリンジ取付部材２０内に設置されることができ、経口シリンジ（図示せず）は、アダプタ２８内に設置されることができる。シリンジがシリンジ取付部材２０に設置されていない場合、アダプタ２８は、アダプタキャップ３４によって閉鎖されることができる。
【００４２】
栄養補給取付部材２２は、栄養補給容器またはチューブ（図示せず）に接続されるように形成される。栄養補給取付部材２２は、栄養補給キャップ３６が第２のコネクタ部分１８に取り付けられることによって、閉鎖されることができる。コネクタ１０の長手方向３７には、用語「経腸」が、他のコネクタ、例えば、経気管または経胃コネクタとの混乱を回避するために書き込まれる。
【００４３】
図２は、コネクタ１０の長手軸３８の周りに９０°だけ回転させられた、図１のコネクタ１０の正面図を示す。
【００４４】
バヨネット式係止部材１６は、第１のコネクタ部分１４に配置される。バヨネット式係止部材１６は、受容陥凹４２を形成する少なくとも１つの係止突起４０を備えてもよい。示される実施形態におけるバヨネット式係止部材１６は、２つの受容陥凹４２を形成する２つの係止突起４０を備える。さらに、バヨネット式係止部材１６は、本体部分４４および接続表面４６を備える。係止突起４０は、一体的に形成されるか、または本体部分４４に接合され、接続部分４８および自由端部分５０を備える。一実施形態では、係止突起は、本体部分４４に接合される。受容陥凹４２は、接続表面４６、接続部分４８、および自由端部分５０の間に形成され、実質的に長方形の形状であるが、他の形状も、３つ以上の係止突起４０の存在を収容するために想定される。貫通孔であって、それを通して栄養素および薬剤または栄養補助食品が胃瘻チューブに方向付けられ、患者に分注され得る、貫通孔（図示せず）が、本体部分４４に形成される。貫通孔は、長手方向３７に延在する。
【００４５】
自由端部分５０は、受容陥凹４２の側に傾斜縁５４を備え、胃瘻チューブ１２の端部部分５６の挿入をより容易にする。２つの係止突起４０の自由端部分５０は、相互の方に向いている。接続表面４６に取り付けられるのは、２つの自由端部分５０間に画定されるオリフィス６０を通して長手方向３７に延在する挿入チューブ５８である。
【００４６】
図３は、係止突起４０およびチューブ部分５８を有するバヨネット式係止部材１６の拡大図を示す。
【００４７】
図４において、下から上への斜視図が、オリフィス６０を通って延在する挿入チューブ５８と自由端部分５０との間に、貫通陥凹６２が形成されていることを示している。したがって、胃瘻チューブ１２は、端部部分５６が接続表面４６に接触するまで中を通されることができる。
【００４８】
挿入チューブ５８は、長手方向３７に外側表面６６がテーパ状にされた複数のチューブ部分６４を備えることにより、複数の当接部６８が形成される。
【００４９】
図５〜７は、コネクタ１０の第２の実施形態を示す。図１〜４および図５〜７のコネクタ１０は、基本的に同一である。したがって、同一の要素は、同一の参照記号で標識され、簡潔のため、以下においては説明されない。コネクタ１０の第１と第２の実施形態との間には、２つの差異がある。第１の差異は、図１においては、コネクタ１０が、ルアーロック様式で栄養補給チューブ（図示せず）を受容するための栄養補給取付部材２２を有する一方、図５においては、栄養補給取付部材２２が、ルアースリップまたはカテーテルスリップ様式で栄養補給チューブ（図示せず）を受容するように形成されていることである。第２の差異は、栄養補給キャップ３６が、栄養補給取付部材２２ではなく、コネクタ１０に取り付けられていることである。
【００５０】
図８は、胃瘻チューブ１２の中へ部分的に挿入されたコネクタ１０を示し、図９は、胃瘻チューブ１２の中へ完全に挿入されたコネクタ１０を示す。胃瘻チューブ１２は、最初に、挿入チューブ５８上を滑動させられ、それによって、当接部６８と係合する。接続表面４６に到達した後に、コネクタ１０は回転させられる。胃瘻チューブ１２は、受容陥凹４２の中へ挿入される端部部分５６に、１つ以上のウイング７０を備える。図８および９によると、端部部分５６は、胃瘻チューブ１２の端部に配置されるアダプタとして形成される。アダプタは、胃瘻チューブ１２の端部にわたって滑動させられる別個の部材であることができる。代替として、胃瘻チューブの端部部分１２は、ウイング７０を有するように適応されることが可能である。両方の場合において、コネクタ１０と胃瘻チューブ１２とは、相互に確実かつ密接に接続される。胃瘻チューブ１２とコネクタ１０との確実な係止は、胃瘻チューブ１２の中へ挿入された挿入チューブ５８と、バヨネット式係止部材１６の受容陥凹４２（または、複数の陥凹）の中へ挿入された端部部分５６のウイング７０とによって達成される。好ましくは、挿入チューブ５８は、テーパ状にさせられる（以下に説明されるように）。
【００５１】
図１０はまた、胃瘻チューブ１２と完全に接続されたコネクタ１０を備える、コネクタアセンブリを示す。胃瘻チューブ１２をコネクタ１０と接続した後に、シリンジ（図示せず）をシリンジ取付部材２０に取り付けることができる。図８〜１０は、両方の実施形態、すなわち、第１および第２の実施形態に関する。
【００５２】
胃瘻チューブ１２は、患者の身体における瘻孔の中へ挿入され、栄養剤が、直接、胃に送達されることを可能にする。Ｙポートコネクタ１０は、胃瘻チューブ１２と併用され、薬剤または栄養補助食品を供給するシリンジ（図示せず）が、胃瘻チューブ１２に取り付けられることを可能にすることができる。Ｙポートコネクタ１０は、ルアーロックシリンジまたはカテーテルスリップシリンジ等の異なるシリンジを促進するように適応されることができる。
【００５３】
したがって、本発明の別の側面は、胃瘻チューブ１２と併用するためのＹポートコネクタ１０に関し、より具体的には、バヨネット係止式システムを有するＹポートコネクタ１０に関する。シリンジを胃瘻チューブ１２に取り付けるためのシリンジポート（シリンジ取付部材２０）を有するＹポートコネクタ１０は、胃瘻チューブ１２に確実に締結されるべきである。本発明のＹポートコネクタ１０は、一体的に形成されるか、または一端（第１のコネクタ部分１４）に接合されるバヨネット搭載部を含むことができる。バヨネット搭載部は、胃瘻チューブ１２の上部または端部部分５６において側方に延在する係止ウイング７０を受容するように構成することができる。バヨネット搭載部は、搭載部（受容陥凹４２）の中への係止ウイング７０の挿入を容易にするための勾配縁５４を有することができる。
【００５４】
挿入チューブ５８はまた、胃瘻チューブ１２の中へ受容され、Ｙポートコネクタ１０を胃瘻チューブ１２に確実に取り付けるように構成されたテーパ状の段階式延在部として設計されることができる。段階式延在部は、最初に、胃瘻チューブ１２の中へ挿入され、次いで、胃瘻チューブ１２の係止ウイング７０が、バヨネット搭載部（受容陥凹４２）の中へ挿入される。
【００５５】
したがって、コネクタ１０は、シリンジが胃瘻チューブ１２に取り付けられ、薬剤／栄養補助食品が患者に与えられることを可能にする。バヨネット式係止システムの利用は、胃瘻チューブ１２へのコネクタ１０の接続を確実にすることができる。
【００５６】
それぞれ、図１〜３および４〜６に示されるコネクタ１０の２つの実施形態の間の主要な差異は、図１〜３のコネクタ１０に嵌合されるルアーアダプタである。これは、経口シリンジを側部ポートに接続する能力を有するルアー係止シリンジの接続を容易にするためのものである。図４〜６に示されるコネクタ１０の設計は、ルアーおよびカテーテルスリップシリンジを支援する。
（参照記号一覧）
１０  コネクタ外側表面
１２  胃瘻チューブ当接部
１４  第１のコネクタ部分ウイング
１６  バヨネット式係止部材
１８  第２のコネクタ部分
２０  シリンジ取付部材
２２  栄養補給取付部材
２４  第１のアーム
２６  第２のアーム
２８  アダプタ
３２  Ｙブリッジ
３４  アダプタキャップ
３６  栄養補給キャップ
３７  長手方向
３８  長手軸
４０  係止突起
４２  受容陥凹
４４  本体部分
４６  接続表面
４８  接続部分
５０  自由端部分
５４  縁
５６  端部部分
５８  挿入チューブ
６０  オリフィス
６２  貫通陥凹
６４  チューブ部分
６６  外側表面
６８  当接部
７０  ウィング
【図１】
0005663673.tif 000002
【図２】
0005663673.tif 000003
【図３】
0005663673.tif 000004
【図４】
0005663673.tif 000005
【図５】
0005663673.tif 000006
【図６】
0005663673.tif 000007
【図７】
0005663673.tif 000008
【図８】
0005663673.tif 000009
【図９】
0005663673.tif 000010
【図１０】
0005663673.tif 000011